(57)【要約】      （修正有）【課題】一対の笠歯車上に固定した主円盤と、副円盤の円周上に配列固定した磁石相互間の吸引力と、反発力を回転力にし、発電機を回転し、電力を得る装置。【解決手段】１対の笠歯車３各上部に主円盤１と副円盤２をつけ、主円盤１と副円盤２面上は各外周部の区分円周を２等区分し、各区分点とする。主円盤１の各区分点に主基礎傾斜台４固定し、その上に主４５度傾斜台５を固定する。副円盤２の各区分点に副基礎傾斜台５固定し、その上に副４５度傾斜台７固定する。主４５度傾斜台には、主菱形磁石８を副４５度傾斜台７には、副菱形磁石９を固定し、主円盤回転車１１、と副円盤回転車１２とする。主円盤回転車１０の主傾斜磁石４における、Ｎ磁極区分点の磁極面端を、笠歯車３を噛み合わせ、装置容器１２の軸受に支持する。装置容器１２外に設けた発電機１４軸と主軸７を、軸継ぎ手２０により連結した構成の磁力回転発電装置。【選択図】図２
2008289341.tif 000002
【特許請求の範囲】
【請求項１】
中心に軸穴があく、ピッチ円錐角ｘが２〜４５度より、任意の角度とする１対の笠歯車において、直径比、歯数比を１対１、又は、任意の整数比、の笠歯車３とし、各笠歯車上部に、中心に軸穴があく、主円盤、と副円盤を固定する。主副各円盤面上の外周端より、少し内側に、円周を描き、各々、区分円周ｋとする。主副笠歯車各直径比が、１対１の時、主円盤と副円盤は、２以上の整数で、各区分円周ｋを等区分し、各区分点とする。主副笠歯車各直径比が、任意の整数対１比、又は１対任意の整数比の時、小さい方の円盤は、２区分、又は、３以上の整数の区分数とし、この時、大きい方の円盤の区分数は、小さい方の円盤区分数に、大きい笠歯車直径の整数比を乗じた値を、区分数として、各区分円周ｋを等区分し、各区分点とする。又、主副笠歯車各直径比が、１以外の奇数対任意の整数比の時、各々の直径比数を区分数として、主副各円盤の区分円周ｋを等区分し、各区分点とする。又、１区分でも回転が、可能である。但し、２区分点にバランス用の重りを設ける必要がある。主円盤の平面図における区分点には、各区分点より回転方向に接線ｆを引き、接線ｆより基本傾斜角θを９０度とする傾斜線ｅを引く。又、副円盤の各区分点には、各区分点より、主円盤と同一回転方向に接線ｆを引き、接線ｆより基本傾斜角αを０度とする傾斜線ｇ（接線ｆと同じ方向）を引く。接線ｆより傾斜角αを基本角度０度とする傾斜線ｇを引く。主円盤の傾斜角θは、９０度から０度まで可能であり、主円盤の基本角度９０度からａ度減じた傾斜角をθ１＝９０−ａとする時、この時、副円盤の傾斜角α１は、α１＝α＋ａ＝０＋ａ＝ａとなる。主円盤における、各区分点の傾斜線ｅ線に、上、中、下、３ブロックを積層構造を一体成形とする主基礎傾斜台の側面下端を合わせ、主円盤に固定する。これは、主円盤が右回転とする時、（斜視図で上部傾斜面下端を前面とした場合、向かって）左側面下端を合わせ、又、主円盤が左回転とする時、右側面下端を合わせる。固定された各主基礎傾斜台における、台面上の区分点側の側縁に、上、下、２ブロック積層構造を一体成形とする、主４５度傾斜台の側面下端を合わせ、台面上に固定する。これは、主円盤が右回転とする時、（斜視図で上部傾斜面上端を前面とした場合、向かって）左側面下端を合わせ、又、主円盤が左回転とする時、右側面下端を合わせ、台面上に固定する。固定された各主４５度傾斜台における、台面上の区分点側の側縁に、主菱形磁石を固定する。区分点側の側縁側を、表磁極面とし、磁極は、同一磁極、又は、区分点毎に、Ｎ・Ｓ磁極を換える、又は、各区分点毎に、バラバラに磁極を換える事ができる。主円盤菱形磁石の磁極面巾ｒ１は、区分円周ｋの２区分点によって作られる磁極面の弦巾（２区分の時は、基礎区分円周ｇの直径巾）の約４５％〜３０％で、任意の巾とする。又、副円盤における、各区分点の傾斜線ｇ線に、上、中、下、３ブロックを積層構造を一体成形とする副基礎傾斜台の側面下端を合わせ、副円盤に固定する。これは、主円盤が右回転とする時、（斜視図で上部傾斜面下端を前面とした場合、向かって）左側面下端を合わせ、又、主円盤が左回転とする時、右側面下端を合わせる。固定された各副基礎傾斜台における、台面上��区分点側の側縁に、上、下、２ブロック積層構造を一体成形とする、副４５度傾斜台の前面下端を合わせ、台面上に固定する。これは、主円盤が右回転とする時、（斜視図で上部傾斜面下端を前面とした場合、向かって）前面右下端を、又、主円盤が左回転とする時、前面左下端を区分点位置上に合わせ、台面上に固定する。固定された各主４５度傾斜台、台面上の区分点側の側縁に、副菱形磁石の表磁極面下端を合わせ、固定する。主円盤の各区分点に対応する、この副円盤の各区分点の表磁極は、主円盤の表磁極の反対磁極とする。副菱形磁石の磁極面巾ｒ２は、主菱形磁石ｒ１の２分の１とする。主基礎傾斜台の構成は、上、中、下、３ブロックを積み上げた形をアルミニウムダイキャスト又は、プラスチック等で、一体成形されたもので、このうち上段傾斜ブロックと下段傾斜ブロックは笠歯車のピッチ円錐角ｘと同じ傾斜角ｘとする傾斜台ブロックであり、ピッチ円錐角ｘが変わると、この傾斜角ｘも変化する。中段は、平面台ブロックとする。上段傾斜台ブロックの奥行き方向巾と横幅は、主磁石傾斜台の上段傾斜ブロックの高さｈ１と同じ巾とし、中段平面台ブロックの高さは、上段傾斜ブロックの高さｈ１の２分の１とする。下段の傾斜ブロックの傾斜面の下端縁は、主円盤１が右回転の時、向かって、左端が区分点位置となり、左回転の時、右端が区分点位置となる。又、主４５度傾斜台の構成は、上、下、２ブロック積上げた形をアルミニウムダイキャスト又は、プラスチック等で、一体成形としたもので、下段傾斜ブロックと上段傾斜ブロックの側面形は、二等辺三角形で、傾斜角４５度の傾斜ブロックであり、傾斜角４５度で、傾斜する下段傾斜台ブロックの傾斜面下端縁上に、傾斜角４５度の上段傾斜ブロックの側面下端を合わた構造である。下段傾斜台ブロックの側面傾斜下端点は、区分点位置となり、区分点位置より上昇傾斜となる。上段傾斜台ブロック側面の二等辺三角形の高さｈ１は、主菱形磁石の磁極面巾をｒ１とすると、ｈ１＝ｓｉｎ４５×ｒ１である。下段傾斜台ブロックＧ側面の二等辺三角形の高さｈ２は、ｈ２＝ｓｉｎ４５×ｈ１である。又、主４５度傾斜台における、台面上の区分点側の側縁に、主菱形磁石の磁極面下端を位置し、固定する。主菱形磁石は、磁極面の高さ方向に、笠歯車のピッチ円錐角と同じ傾斜角ｘで菱形に傾斜し、右回転の時、立面図で、向かって、右上方向に傾斜し、左回転の時、左上方向に傾斜する菱形磁極面の磁石、又は、超電導電磁石のであり、又、表磁極面の傾斜下端側と、反対磁極面の区分点側端が、磁極面巾ｒ１の４分の１の巾で、菱形突出している。突出長さｂは、突出巾をａとすると、ｂ＝ｒ１−ａとする。突出巾ａは磁極面巾ｒ１の２分の１から８分の１程度まで可能である。菱形磁極面の高さは、幾らでも可能とするが、最大主円盤直径程度とする。回転力は磁石高さに比例する。菱形磁極面の高さによって、強度が問題となる時は、上部主円盤と上部副円盤を付け、取付枠、ボルトで主円盤菱形磁石、副円盤菱形磁石を固定する。又、磁軸方向巾は、磁極面巾ｒ１と同じ程度まで可能であるが、副円盤菱形磁石の磁軸方向巾も同一としなければならない。副基礎傾斜台は、上段、中段、下段の３ブロックを積上げた形を、アルミニュウ���ダイキャスト、又は、プラスチック等で一体成形されたものであり、上段と中段のブロックは、傾斜台であり、下段ブロックは、平面台である。副基礎傾斜台の側面下端を傾斜線ｇに合わせ、副円盤に固定する。これは、主円盤が右回転とする時、（斜視図で上部傾斜面下端を前面とした場合、向かって）左側面下端を合わせ、又、主円盤が左回転とする時、右側面下端を合わせる。下段平面台ブロックの傾斜線ｇ上に位置する側面は、高さ方向に、ピッチ円錐角ｘと同じ角度ｘで傾斜する形状とする。（ピッチ円錐角ｘが変わると、この傾斜角ｘも変化する）下段平面台ブロックの高さ方向傾斜側面は、主円盤が右回転とする時、左側面で、主円盤が左回転とする時、右側面となる。又、中段傾斜台ブロックの傾斜面上端位置は、下段平面台ブロックの高さ方向傾斜側面に位置する。この中段傾斜台ブロックの傾斜面上端位置線に上段傾斜台ブロックが、傾斜側面下端を傾斜線位置とし、区分点側より、上昇傾斜し、３段に積層した構造である。上段傾斜台ブロックの傾斜角ｚと中段傾斜台ブロックの傾斜角ｙは、選択した笠歯車のピッチ円錐角ｘの２分の１である。（ピッチ円錐角ｘが変わると、この傾斜角ｙ、ｚ角は、ｘ角の２分の１となる）中段傾斜台ブロックと下段傾斜台ブロックの傾斜前面巾ａと傾斜側面巾ｂは、主４５度傾斜台の上段傾斜ブロックの高さｈ１と同じ巾とする。又、主円盤回転車と副円盤回転車を軸受で支持した時、主円盤菱形磁石の磁極面下端の外周方向の延長線が、副円盤菱形磁石の磁極面下端位置の高さとしなければ回転力は得られない。このため、下段平面台ブロック高さは、主基礎傾斜台の中段平面台ブロックの高さの２．５倍とする。副４５度傾斜台の構造は、上、下、２段のブロックの積層構造を、アルミニュウムダイキャスト、又は、プラスチック等で一体成形されたもので、区分点位置側より、傾斜角４５度で、上昇傾斜する下段傾斜台ブロックの傾斜面上に、区分点側の傾斜側線より、直交して、傾斜角４５度の上段傾斜ブロックが付いた構成である。下段傾斜ブロックと上段傾斜ブロックの側面形は、共に、同じ大きさの二等辺三角形であり、高さｈ３は、主４５度傾斜台の下段ブロックの側面高さｈ２と同じ高さとする。下段傾斜台ブロックは、主円盤１が右回転の時、傾斜側面の右側下端が、区分点位置で左方向に上昇傾斜する位置とし、主円盤１が左回転の時、傾斜側面の左側下端が、区分点位置で右方向に上昇傾斜する位置とする。副菱形磁石は、笠歯車のピッチ円錐角と同じ傾斜角ｘで菱形に傾斜する菱形磁極面の磁石形、又は、超電導電磁石形である。この傾斜方向は、主菱形磁石が右上方向であれば、向かって、左上方向に傾斜し、左上方向であれば、右上方向に傾斜する。又、傾斜線上に位置する表磁極面の上昇傾斜端と、反対磁極面の区分点側端が突出する構造である。副菱形磁石の磁極面巾ｒ２は、主菱形磁石の２分の１であり、突出巾ａと突出長さｂはｒ２巾の２分の１とする。主菱形磁石と副菱形磁石は一体で成形、又は、主菱形磁石と副菱形磁石が超電導電磁石の時、一体製作する事ができるが、本体と突出部分を別々に成形し、接着剤で接合部を固定し、又は、本体と突出部分を別々に製作し、組立接合する事もできる。主磁石傾斜台主菱形磁石���副菱形磁石に超電導電磁石を用いた時は、主円盤と副円盤に取付台を付け、台上に、ヘリウムガス再液化用の冷凍機を設ける。下部に笠歯車がついた、主円盤と副円盤の軸穴に主軸を付け、キーにより固定し、主円盤回転車と副円盤回転車とする。主軸端部につけた回転接点より、主軸中空穴に配線を設け、冷凍機に外部より電力を供給する。又、主軸にフライホイールを設ける。主円盤回転車と副円盤回転車を笠歯車で噛み合わせる時、各区分点の向き合う磁極は、反対磁極とし、噛み合わせ位置は、まず、主円盤回転車の主菱形磁石における、区分点の磁極面外周端が、共通中心線ｏ−ｏ上の最接近点にある時、まず、各笠歯車を噛み合わせた時、表磁極面の外周方向延長線上に、副円盤回転車の表側磁極面外周端角を合わせ、その位置より、磁軸方向巾だけ表側磁極面外周端を逆回転方向にずらした位置で、主円盤回転車と副円盤回転車の笠歯車を噛み合わせ、装置容器のラジアル軸受け、とスラスト軸受けによって、主円盤回転車と副円盤回転車を支持する。装置容器外部上に発電機を設け、発電機軸と主軸は、各々軸に付いた出力用笠歯車、又は、軸継ぎ手により、連結される。以上の構成よりなる磁力回転発電装置。
【請求項２】
環状円周形笠歯車の上部についた、環状円周形主円盤を固定し、環状円周形笠歯車の内側周囲、１６等間隔の各位置のに、車輪面が傾斜角４５度とする、笠形車輪をつけた構造とし、装置容器側に、傾斜角４５度のレール面とする円周形状レールをに設けた構造とし、環状円周形主円盤車とする。副円盤は、主軸のついた笠歯車の上に固定する。又、副円盤の主軸にスラスト用笠形車輪を固定し、環状円周形笠歯車の外周下部に円錐面を設ける。スラスト用笠形車輪は、この円錐面に圧接回転し、環状円周形主円盤車の上側のスラスト軸受けとする。副円盤回転車は、環状円周形笠歯車の周囲に、可能な限りの任意の数設けることができる。発電機は、副円盤の主軸に、可能な限りの任意の数設けることができる。上記の構造とする請求項１の磁力回転発電装置。
【発明の詳細な説明】
【技術分野】
【０００１】この発明は、磁石相互間に作用する吸引力と反発力を回転力に変えて、発電機を回転させ、電力を得る装置で、電気自動車、船舶、航空宇宙、工業用、家庭用、農業用の電源として用いる。
【背景技術】
【０００２】従来、磁石相互間に作用する吸引力と反発力を回転力として、発電機を回転し電力を得る装置は、我国の発明家湊弘平氏の磁力発電装置が、１９８７年にテレビ、雑誌で公開された。実用機も作られたが耐久性に問題があったためか、その後実用化はされなかった。しかし、その後、磁石と電磁石を用いた磁力回転発電装置を発明し、４０カ国以上の国際特許を得ている。他に米国の発明家トロイ・リード氏の磁力発電装置があるが、装置が大型になる欠点がある。
【発明の開示】
【発明が解決しようとする課題】
【０００３】主円盤１と副円盤２に配置する磁石数を少なくして、小型化できる構造とし、円盤の半分で吸引力によって回転力を得ながら、近接して、逆に、ブレ−キとなる吸引力を、巧妙な構造によって、消去して、円盤のもう片方の半分側でも回転力とする機構とする。小型でありながら、大きな出力発電が得られ、又、磁石数を少なくできるため、超電導電磁石を用いて、大出力発電を可能とする構造とする。
【課題を解決するための手段】
【０００４】中心に軸穴があく、ピッチ円錐角ｘが２〜４５度より、任意の角度とする１対の笠歯車において、直径比、歯数比を１対１、又は、任意の整数比、の笠歯車３とし、各笠歯車上部に、中心に軸穴があく、主円盤、と副円盤を固定する。主副各円盤面上の外周端より、少し内側に、円周を描き、各々、区分円周ｋとする。主副笠歯車各直径比が、１対１の時、主円盤と副円盤は、２以上の整数で、各区分円周ｋを等区分し、各区分点とする。主副笠歯車各直径比が、任意の整数対１比、又は１対任意の整数比の時、小さい方の円盤は、２区分、又は、３以上の整数の区分数とし、この時、大きい方の円盤の区分数は、小さい方の円盤区分数に、大きい笠歯車直径の整数比を乗じた値を、区分数として、各区分円周ｋを等区分し、各区分点とする。又、主副笠歯車各直径比が、１以外の奇数対任意の整数比の時、各々の直径比数を区分数として、主副各円盤の区分円周ｋを等区分し、各区分点とする。又、１区分でも回転が、可能である。但し、２区分点にバランス用の重りを設ける必要がある。【０００５】主円盤の平面図における区分点には、各区分点より回転方向に接線ｆを引き、接線ｆより基本傾斜角θを９０度とする傾斜線ｅを引く。又、副円盤の各区分点には、各区分点より、主円盤と同一回転方向に接線ｆを引き、接線ｆより基本傾斜角αを０度とする傾斜線ｇ（接線ｆと同じ方向）を引く。主円盤の傾斜角θは、９０度から０度まで可能であり、主円盤の基本角度９０度からａ度減じた傾斜角をθ１＝９０−ａとする時、この時、副円盤の傾斜角α１は、α１＝α＋ａ＝０＋ａ＝ａとなる。主円盤における、各区分点の傾斜線。線に、上、中、下、３ブロックを積層構造を一体成形とする主基礎傾斜台の側面下端を合わせ、主円盤に固定する。これは、主円盤が右回転とする時、（斜視図で上部傾斜面下端を前面とした場合、向かって）左側面下端を合わせ、又、主円盤が左回転とする時、右側面下端を合わせる。固定された各主基礎傾斜台における、台面上の区分点側の側縁に、上、下、２ブロック積層構造を一体成形とする、主４５度傾斜台の側面下端を合わせ、台面上に固定する。これは、主円盤が右回転とする時、（斜視図で上部傾斜面上端を前面とした場合、向かって）左側面下端を合わせ、又、主円盤が左回転とする時、右側面下端を合わせ、台面上に固定する。【０００６】固定された各主４５度傾斜台における、台面上の区分点側の側縁に、主菱形磁石を固定する。区分点側の側縁側を、表磁極面とし、磁極は、同一磁極、又は、区分点毎に、Ｎ・Ｓ磁極を換える、又は、各区分点毎に、バラバラに磁極を換える事ができる。主円盤菱形磁石の磁極面巾ｒ１は、区分円周ｋの２区分点によって作られる磁極面の弦巾（２区分の時は、基礎区分円周ｇの直径巾）の約４５％〜３０％で、任意の巾とする。又、副円盤における、各区分点の傾斜線ｇ線に、上、中、下、３ブロックを積層構造を一体成形とする副基礎傾斜台の側面下端を合わせ、副円盤に固定する。これは、主円盤が右回転とする時、（斜視図で上部傾斜面下端を前面とした場合、向かって）左側面下端を合わせ、又、主円盤が左回転とする時、右側面下端を合わせる。固定された各副基礎傾斜台における、台面上の区分点側の側縁に���上、下、２ブロック積層構造を一体成形とする、副４５度傾斜台の前面下端を合わせ、台面上に固定する。これは、主円盤が右回転とする時、（斜視図で上部傾斜面下端を前面とした場合、向かって）前面右下端を、又、主円盤が左回転とする時、前面左下端を区分点位置上に合わせ、台面上に固定する。固定された各主４５度傾斜台、台面上の区分点側の側縁に、副菱形磁石の表磁極面下端を合わせ、固定する。【０００７】主円盤の各区分点に対応する、この副円盤の各区分点の表磁極は、主円盤の表磁極の反対磁極とする。副菱形磁石の磁極面巾ｒ２は、主菱形磁石ｒ１の２分の１とする。主基礎傾斜台の構成は、上、中、下、３ブロックを積み上げた形をアルミニウムダイキャスト又は、プラスチック等で、一体成形されたもので、このうち上段傾斜ブロックと下段傾斜ブロックは笠歯車のピッチ円錐角ｘと同じ傾斜角ｘとする傾斜台ブロックであり、ピッチ円錐角ｘが変わると、この傾斜角ｘも変化する。中段は、平面台ブロックとする。上段傾斜台ブロックの奥行き方向巾と横幅は、主磁石傾斜台の上段傾斜ブロックの高さｈ１と同じ巾とし、中段平面台ブロックの高さは、上段傾斜ブロックの高さｈ１の２分の１とする。下段の傾斜ブロックの傾斜面の下端縁は、主円盤１が右回転の時、向かって、左端が区分点位置となり、左回転の時、右端が区分点位置となる。又、主４５度傾斜台の構成は、上、下、２ブロック積上げた形をアルミニウムダイキャスト又は、プラスチック等で、一体成形としたもので、下段傾斜ブロックと上段傾斜ブロックの側面形は、二等辺三角形で、傾斜角４５度の傾斜ブロックであり、傾斜角４５度で、傾斜する下段傾斜台ブロックの傾斜面下端縁上に、傾斜角４５度の上段傾斜ブロックの側面下端を合わた構造である。【０００８】下段傾斜台ブロックの側面傾斜下端点は、区分点位置となり、区分点位置より上昇傾斜となる。上段傾斜台ブロック側面の二等辺三角形の高さｈ１は、主菱形磁石の磁極面巾をｒ１とすると、ｈ１＝ｓｉｎ４５×ｒ１である。下段傾斜台ブロックＧ側面の二等辺三角形の高さｈ２は、ｈ２＝ｓｉｎ４５×ｈ１である。又、主４５度傾斜台における、台面上の区分点側の側縁に、主菱形磁石の磁極面下端を位置し、固定する。主菱形磁石は、磁極面の高さ方向に、笠歯車のピッチ円錐角と同じ傾斜角ｘで菱形に傾斜し、右回転の時、立面図で、向かって、右上方向に傾斜し、左回転の時、左上方向に傾斜する菱形磁極面の磁石、又は、超電導電磁石のであり、又、表磁極面の傾斜下端側と、反対磁極面の区分点側端が、磁極面巾ｒ１の４分の１の巾で、菱形突出している。突出長さｂは、突出巾をａとすると、ｂ＝ｒ１−ａとする。突出巾ａは磁極面巾ｒ１の２分の１から８分の１程度まで可能である。菱形磁極面の高さは、幾らでも可能とするが、最大主円盤直径程度とする。回転力は磁石高さに比例する。菱形磁極面の高さによって、強度が問題となる時は、上部主円盤と上部副円盤を付け、取付枠、ボルトで主円盤菱形磁石、副円盤菱形磁石を固定する。又、磁軸方向巾は、磁極面巾ｒ１と同じ程度まで可能であるが、副円盤菱形磁石の磁軸方向巾も同一としなければならない。【０００９】副基礎傾斜台は、上段、中段、下段の３ブロックを積上げた形を、アルミニュウムダイキャスト、又は、プラスチック等で一体成形されたものであり、上段と中段のブロックは、傾斜台であり、下段ブロックは、平面台である。副基礎傾斜台の側面下端を傾斜線ｇに合わせ、副円盤に固定する。これは、主円盤が右回転とする時、（斜視図で上部傾斜面下端を前面とした場合、向かって）左側面下端を合わせ、又、主円盤が左回転とする時、右側面下端を合わせる。下段平面台ブロックの傾斜線ｇ上に位置する側面は、高さ方向に、ピッチ円錐角ｘと同じ角度ｘで傾斜する形状とする。（ピッチ円錐角ｘが変わると、この傾斜角ｘも変化する）下段平面台ブロックの高さ方向傾斜側面は、主円盤が右回転とする時、左側面で、主円盤が左回転とする時、右側面となる。又、中段傾斜台ブロックの傾斜面上端位置は、下段平面台ブロックの高さ方向傾斜側面に位置する。この中段傾斜台ブロックの傾斜面上端位置線に上段傾斜台ブロックが、傾斜側面下端を傾斜線位置とし、区分点側より、上昇傾斜し、３段に積層した構造である。上段傾斜台ブロックの傾斜角ｚと中段傾斜台ブロックの傾斜角ｙは、選択した笠歯車のピッチ円錐角ｘの２分の１である。（ピッチ円錐角ｘが変わると、この傾斜角ｙ、ｚ角は、ｘ角の２分の１となる）中段傾斜台ブロックと下段傾斜台ブロックの傾斜前面巾ａと傾斜側面巾ｂは、主４５度傾斜台の上段傾斜ブロックの高さｈ１と同じ巾とする。【００１０】又、主円盤回転車と副円盤回転車を軸受で支持した時、主円盤菱形磁石の磁極面下端の外周方向の延長線が、副円盤菱形磁石の磁極面下端位置の高さとしなければ回転力は得られない。このため、下段平面台ブロック高さは、主基礎傾斜台の中段平面台ブロックの高さの２．５倍とする。副４５度傾斜台の構造は、上、下、２段のブロックの積層構造を、アルミニュウムダイキャスト、又は、プラスチック等で一体成形されたもので、区分点位置側より、傾斜角４５度で、上昇傾斜する下段傾斜台ブロックの傾斜面上に、区分点側の傾斜側線より、直交して、傾斜角４５度の上段傾斜ブロックが付いた構成である。下段傾斜ブロックと上段傾斜ブロックの側面形は、共に、同じ大きさの二等辺三角形であり、高さｈ３は、主４５度傾斜台の下段ブロックの側面高さｈ２と同じ高さとする。下段傾斜台ブロックは、主円盤１が右回転の時、傾斜側面の右側下端が、区分点位置で左方向に上昇傾斜する位置とし、主円盤１が左回転の時、傾斜側面の左側下端が、区分点位置で右方向に上昇傾斜する位置とする。【００１１】副菱形磁石は、笠歯車のピッチ円錐角と同じ傾斜角ｘで菱形に傾斜する菱形磁極面の磁石形、又は、超電導電磁石形である。この傾斜方向は、主菱形磁石が右上方向であれば、向かって、左上方向に傾斜し、左上方向であれば、右上方向に傾斜する。又、傾斜線上に位置する表磁極面の上昇傾斜端と、反対磁極面の区分点側端が突出する構造である。副菱形磁石の磁極面巾ｒ２は、主菱形磁石の２分の１であり、突出巾ａと突出長さｂはｒ２巾の２分の１とする。主菱形磁石と副菱形磁石は一体で成形、又は、主菱形磁石と副菱形磁石が超電導電磁石の時、一体製作する事ができるが、本体と突出部分を別々に成形し、接着剤で接合部を固定し、又は、本体と突出部分を別々に製作し、組立接合する事もできる。主磁石傾斜台主菱形磁石と副菱形磁石に超電導電磁石を用いた時は、主円盤と副円盤に取付台を付け、台上に、ヘリウムガス再液化用の冷凍機を設ける。下部に笠歯車がついた、主円盤と副円盤の軸穴に主軸を付け、キ−により固定し、主円盤回転車と副円盤回転車とする。主軸端部につけた回転接点より、主軸中空穴に配線を設け、冷凍機に外部より電力を供給する。又、主軸にフライホイールを設ける。【００１２】主円盤回転車と副円盤回転車を笠歯車で噛み合わせる時、各区分点の向き合う磁極は、反対磁極とし、噛み合わせ位置は、まず、主円盤回転車の主菱形磁石における、区分点の磁極面外周端が、共通中心線ｏ−ｏ上の最接近点にある時、まず、各笠歯車を噛み合わせた時、表磁極面の外周方向延長線上に、副円盤回転車の表側磁極面外周端を合わせ、その位置より、磁軸方向巾だけ表側磁極面外周端角を逆回転方向にずらした位置で、主円盤回転車と副円盤回転車の笠歯車を噛み合わせ、装置容器のラジアル軸受け、とスラスト軸受けによって、主円盤回転車と副円盤回転車を支持する。装置容器外部上に発電機を設け、発電機軸と主軸は、各々軸に付いた出力用笠歯車、又は、軸継ぎ手により、連結される。以上の構成よりなる磁力回転発電装置。【００１３】環状円周形笠歯車の上部についた、環状円周形主円盤を固定し、環状円周形笠歯車の内側周囲、１６等間隔の各位置のに、車輪面が傾斜角４５度とする、笠形車輪をつけた構造とし、装置容器側に、傾斜角４５度のレール面とする円周形状レールをに設けた構造とし、環状円周形主円盤車とする。副円盤は、主軸のついた笠歯車の上に固定する。又、副円盤の主軸にスラスト用笠形車輪を固定し、環状円周形笠歯車の外周下部に円錐面を設ける。スラスト用笠形車輪は、この円錐面に圧接回転し、環状円周形主円盤車の上側のスラスト軸受けとする。副円盤回転車は、環状円周形笠歯車の周囲に、可能な限りの任意の数設けることができる。発電機は、副円盤の主軸に、可能な限りの任意の数設けることができる。上記の構造とする請求項１の磁力回転発電装置。
【発明を実施するための最良の形態】
【００１４】図１〜図３は本発明の第１の実施の形態で、主菱形磁石４と副菱形磁石５に超電導電磁石を用いている。図１は、図２の主円盤１部分のＢ−Ｂ線方向断面と、副円盤２部分のＣ−Ｃ線方向断面を合成した、平面断面図である。図２は、図１のＡ−Ａ線方向の断面立面図である。図３は、図２のＤ−Ｄ線方向の断面側面図である。【００１５】図１、図２に示すように、中心に軸穴があく、ピッチ円錐角ｘが３０度で、１対の笠歯車３の直径比、歯数比を１対１とする各笠歯車３上部に、中心に軸穴があく、同一直径の主円盤１と副円盤２を固定する。主副各円盤面上の外周端より、少し内側に、円周を描き、各々区分円周ｋとする。各区分円周ｋを２等区分し、各区分点とする。【００１６】主円盤１の平面図における区分点には、図４に示すように、各区分点より右回転方向に接線ｆを引き、接線ｆより基本傾斜角θを９０度とする傾斜線ｅを引く。又、副円盤２の区分点には、各区分点より右回転方向に接線ｆを引き、この接線ｆから、基本傾斜角αを０度とする傾斜線ｇ（接線ｆと同じ）を引く。主円盤の傾斜角θは、９０度から０度まで可能であり、仮に、円盤１のを基本角度θの９０度から減じたａ度を傾斜角θ１とする時、この時、副円盤の傾斜角α１は、副円盤２の基本傾斜角αの０度に、減じたａ度を加えた角度とする。これを式にあらわすと、α１＝α＋ａ＝０＋ａ＝ａとなる。従って、図５は、主円盤１の傾斜角θ１を６０度とした時で、基本傾斜角９０度から減じた角度ａは３０度で、副円盤２の傾斜角α１は、α１＝α＋ａ＝０＋３０＝３０で３０度となる。ａは主基礎傾斜台４の底面取付位置であり、ｂは副基礎傾斜台４の底面取付位置である。【００１７】主円盤１における、各区分点の傾斜線ｅに主基礎傾斜台４の左側面下端縁を合わせ、主円盤１に固定する。（ａは主基礎傾斜台４の底面取付位置）固定した各主基礎傾斜台４における、台面上の左側縁に、主４５度傾斜台６を固定する。固定した各主４５度傾斜台６における、台面上の左側縁に、超電導電磁石を用いた主菱形磁石８を、各区分点同一のＮ磁極で、台面上に固定する。主菱形磁石４の磁極面巾ｒ１は、基礎区分円周ｋの直径巾の３０％としている。又、副円盤２の各区分点の傾斜線ｇ１線に、副基礎傾斜台５の下端縁を合わせ、副円盤２に固定する。固定した各副基礎傾斜台５、台面上には、副４５度傾斜台７を固定する。固定した各副４５度傾斜台７の台面傾斜側端に、超電導電磁石を用いた副菱形磁石９を、主円盤１の反対磁極のＳ磁極で、区分点側傾斜端縁に、磁極面各端縁を合わせ、台面上に固定する。【００１８】図６は、主基礎傾斜台６の斜視図、図７は、主基礎傾斜台の各ブロック毎に分解した斜視図、図８は、主基礎傾斜台に主４５度傾斜台を固定した斜視図である。取付枠や取付ボルト部分は、省略している。主基礎傾斜台４は、図６に示すように、上段、中段、下段の３ブロックを一体成形した構造であり、図７のように３段ブロックに分解すると、上段ブロックＡと下段ブロックＣは、は、笠歯車３のピッチ円錐角ｘと同じ傾斜角ｘとする傾斜台ブロックであり、中段ブロックＢは平面台ブロックである。上段ブロックＡの奥行き方向巾ｂと横幅ａは、主４５度傾斜台の上段ブロックＤの側面高さｈ１と���じ巾とし、中段ブロックＣの高さｃは、ｈ１の半分の高さとする。主基礎傾斜台４における台面の区分点側の左側縁に、図８で示すように、主４５度傾斜台６の区分点側である左傾斜側面下端を合わせ固定する。【００１９】図１３は、主４５度傾斜台６に主菱形磁石８を固定した斜視図であり、図１４は、主４５度傾斜台６の斜視図である。又、図１５は、主４５度傾斜台６を２ブロックに分解した斜視図である。主４５度傾斜台６の構成は、図１４に示すように、上、下、２ブロック積上げた形を一体成形としたものである。又、図１５のように、各ブロックに分解した下段傾斜ブロックＥと上段傾斜ブロックＤの側面形は、二等辺三角形で、傾斜角４５度の傾斜ブロックであり、傾斜角４５度で、傾斜する下段傾斜台ブロックＥの傾斜面下端線上に、傾斜角４５度の上段傾斜ブロックＤの側面下端合をわせ、積層した構造である。下段傾斜台ブロックＥの側面傾斜方向は、主円盤１が右回転なので、向かって左方向に下降し、下端が区分点位置となる。主円盤１が左回転の時は、下段ブロックＥの側面傾斜方向は、向かって右方向に下降となり、右下端が区分点位置となる。上段傾斜台ブロックＤ側面の二等辺三角形の高さｈ１は、主菱形磁石の磁極面巾をｒ１とすると、ｈ１＝ｓｉｎ４５×ｒ１である。下段傾斜台ブロックＧ側面の二等辺三角形の高さｈ２は、ｈ２＝ｓｉｎ４５×ｈ１である。又、図１３のように、主４５度傾斜台６における、各台面上の傾斜側縁に、主菱形磁石８の磁極面下端を位置し、固定する。図１５の角度ａと角度ｂは４５度である。【００２０】図９は、副基礎傾斜台５の斜視図、図１０は、副基礎傾斜台５を各ブロック毎に分解した斜視図、図１１は、副基礎傾斜台５に副４５度傾斜台７を固定した斜視図である。取付枠や取付ボルト部分は、省略している。副基礎傾斜台５は、図９に示すように、上段、中段、下段の３ブロックを一体成形した構造であり、上段傾斜台ブロックＦの傾斜面下端面を前面とする。又、図１０のように３段ブロックを分解すると、下段の平面台ブロックＨの左側面下端を、傾斜線ｇ線上に位置し、この面は、高さ方向に、笠歯車３のピッチ円錐角ｘと同じ傾斜角ｘで傾斜する。平面台ブロックＨにおける、台面の傾斜線ｇ線上に位置する側縁を、中段傾斜台ブロックＧの傾斜上端位置とし、傾斜線ｇ線と直交方向に下降傾斜で置き、中段傾斜台ブロックＧにおける、台面上の傾斜線ｇ線上に位置する側縁を、上段傾斜台ブロックＡの傾斜方向とし、、区分点位置より、上昇傾斜で置く。主円盤１が左回転の時、下段傾斜台ブロックＨは右側面下端を傾斜線ｇ線上に位置する。この面は、高さ方向に、下端より笠歯車３のピッチ円錐角ｘと同じ傾斜角ｘで傾斜する。従って、上段傾斜台ブロックＦと中段傾斜台ブロックＧの取付位置も逆となる。【００２１】上段傾斜台ブロックＦの傾斜角ｚと、中段傾斜台ブロックＧの傾斜角ｙは、選択したピッチ円錐角ｘの２分の１の１５度である。従って、仮に笠歯車３のピッチ円錐角を１５度とした時、副基礎傾斜台の上段ブロックＦと中段ブロックＧの傾斜角は、７．５度となる。又、ピッチ円錐角を５度とした時、副基礎傾斜台５の上段ブロックＦと中段ブロックＧの傾斜角は、２．５度となる。又、上段傾斜台ブロックＦと中段傾斜台ブロックＧの傾斜前面巾ａと傾斜側面巾ｂは、主４５度傾斜台の上段傾斜ブロックＤの高さｈ１と同じ巾とする。又、図３３のように、主円盤回転車１６と副円盤回転車１７を軸受で支持した時、主円盤菱形磁石８の磁極面下端の外周方向矢印の延長線が、副菱形磁石９の磁極面下端位置の高さとしなければ回転力は得られない。このため、下段平面台ブロックＨ高さは、主基礎傾斜台４の中段平面台ブロックの高さの２．５倍とする。もし合わない時は、この高さを調整する。【００２２】図１６は、副４５度傾斜台７に副菱形磁石４を固定した斜視図であり、図１７は、副４５度傾斜台７の斜視図である。又、図１８は、副４５度傾斜台７各ブロックに分解した斜視図である。副４５度傾斜台７の構造は、図１７のように、上、下、２段のブロックを積み上げた形を、一体成形したもので、２段ブロックを分解した、図１８のように、下段傾斜ブロックＩと上段傾斜ブロックＪの側面形は、共に、同じ大きさの二等辺三角形であり、区分点側より、傾斜角ｂが４５度で、上昇傾斜する下段傾斜台ブロックＪの傾斜面上に、区分点側の傾斜側線より、直交して、傾斜角ａが４５度で、上段傾斜ブロックＩが付いた構造であり、下段傾斜台ブロックＪは、副円盤２の逆回転方向の向かって、右方向に上昇傾斜とする。これは、主円盤１が左回転の時は、逆の左方向に上昇傾斜とする。高さｈ３は、主４５度傾斜台の下段ブロックＥの側面高さｈ２と同じ高さとする。【００２３】図１９は、主菱形磁石４の立面図であり、図２０は、図１９の平面図である。又、図２１は、図１９の側面図である。主菱形磁石は、図１９にあるように、磁極面の高さ方向に、笠歯車３のビッチ円錐角と同じ傾斜角ｘで菱形に傾斜し、主円盤１が右回転の時、向かって、右上方向に傾斜し、主円盤１が左回転の時、左上方向に傾斜する菱形磁極面の磁石、又は、超電導電磁石のであり、又、図２０のように、表磁極面の傾斜下端側と、反対磁極面の区分点側端が、磁極面巾ｒ１の４分の１の巾で、菱形突出している。突出長さｂは、突出巾をａとすると、ｂ＝ｒ１−ａとする。突出巾ａは磁極面巾ｒ１の２分の１から８分の１程度まで可能である。菱形磁極面の高さは、幾らでも可能とするが、最大で、主円盤直径程度とする。出力は、磁極面の高さに比例する。菱形磁極面の高さによって、強度が問題となる時は、上部主円盤と上部副円盤を付け、取付枠、ボルトで主円盤菱形磁石、副円盤菱形磁石を固定する。又、磁軸方向巾ｄは、磁極面巾ｒ１と同じ程度まで可能であるが、副円盤菱形磁石の磁軸方向巾も同一としなければならない。仮に、ピッチ円錐角ｘを１５度で設計する時は、主菱形磁石４の傾斜角ｘは１５度となる。【００２４】図２２は、副菱形磁石４の立面図であり、図２３は、図２２の平面図である。又、図２４は、図２２の側面図である。副菱形磁石は、図２２のように、笠歯車のピッチ円錐角ｘと同じ傾斜角ｘで菱形に傾斜し、副円盤の回転が左回転であれば、向かって、左上方向に傾斜し、右回転であれば、右上方向に傾斜する菱形磁極面の磁石形、又は、超電導電磁石形である。仮に、ピッチ円錐角ｘを１５度で設計する時は、副菱形磁石の傾斜角ｘは１５度となる。又、傾斜線上に位置する表磁極面の上昇傾斜端と、反対磁極面の区分点側端が突出する構造である。副菱形磁石の磁極面巾ｒ２は、主菱形磁石の２分の１であり、突出巾ａと突出長さｂはｒ２巾の２分の１とする【００２５】超電導電磁石を用いた時は、主円盤１と副円盤２に取付台１１を付け、台上に、ヘリウムガス再液化用の冷凍機１２を設ける。図では、配管は、省略している。下部に笠歯車３がついた、主円盤１と副円盤２の軸穴に主軸１０を付け、キー２３により固定し、主円盤回転車１６と副円盤回転車１７とする。主軸１０端部につけた回転接点１８より、主軸１０中空穴に配線を設け、中空穴の側面穴より、配線を出し冷凍機１２に外部より電力を供給する。（中空穴は、図面では省略）又、副円盤２の主軸にフライホイール２２を設ける。図１２は、主、副各円盤回転車の各笠歯車３の噛み合わせ位置の説明図で、笠歯車３を噛み合わせた時、主、副各円盤の概略部分平面図【００２６】図１２において、主菱形磁石８における、上部面の、区分点の表Ｎ磁極面外周端角が、共通中心線ｏ−ｏ上の接近点にある時、まず、各笠歯車を噛み合わせた時、表Ｎ磁極面の外周方向延長線上位置点ａに、副菱形磁石９の表Ｓ磁極面外周端角を合わせ、その位置より、表Ｓ磁極面外周端角を磁軸方向巾ｄだけ、副円盤２の逆回転方向にずらした位置で、主円盤回転車１６と副円盤回転車１７の笠歯車３を噛み合わせ、装置容器１３のラジアル軸受け１４とスラスト軸受け１５によって、主円盤回転車１６と副円盤回転車１７を支持する。主円盤回転車１６と副円盤回転車１７の表磁極は、区分点毎に、常に反対磁極とする。装置容器１３外部上に発電機２１を設け、発電機２１軸と主軸１０は、各々軸に付いた出力用笠歯車１９、又は、軸継ぎ手２０により、連結される。以上の構成よりなる磁力回転発電装置。【００２７】この発明装置の回転原理を図を用いて説明する。図２５は、図１と同じ位置における、簡略した合成平面断面図であり、共通中心線ｏ−ｏの最接近点より５０度手前を区分点位置としている。図２６は、図２５の位置より、中心角で３０度回転した位置の図である。図２７は、図２６より、中心角で５０度回転した位置の図である。【００２８】図２５の位置にある時、副円盤２の副菱形磁石９（３）の表磁極のＳ磁極と、主円盤１の主菱形磁石８の表磁極であるＮ磁極が吸引し、副菱形磁石９（３）にＰ１の回転力が作用し、副円盤２は、矢印方向の左回転する。主菱形磁石８（１）には、逆回転力は作用せず、噛み合う笠歯車３によって、主円盤１は、矢印方向に右回転し、図２６まで回転する。【００２９】図２６の位置にある時、ここでもＰ１の回転力が持続し、副円盤２の副菱形磁石９（３）の表磁極のＳ磁極と、主円盤１の主菱形磁石８の表磁極であるＮ磁極が吸引し、副円盤２にＰ１の回転力が作用する。又、主菱形磁石８（１）の表磁極のＮ磁極と、副菱形磁石９（３）の反対磁極における区分点側の突出部分９ａのＮ磁極との反発力によって、主菱形磁石８（１）にＰ２の右方向回転力が作用する。副菱形磁石９の反発力は、主軸１０方向である為、逆回転力は作用せず、噛み合う笠歯車３によって、副円盤２は左回転し、Ｐ１とＰ２の回転力によって、図２６まで回転する。【００３０】主菱形磁石８（１）がこの図２６の位置まで、逆回転力が作用せず回転できるのは、主菱形磁石８と副菱形磁石９に突出部分８ａと９ａがあるからで、そうでなければ、この位置まで回転する事はできず、逆回転力により止まってしまう。又、この逆回転力を消去できるのは、主菱形磁石８の突出部分８ａの各長さｂと本体磁極面の巾ｃが同じ巾であり、又、副菱形磁石９のの突出部分９ａの各長さｂと本体磁極面の巾ｃが同じ巾であるからである。それはどういう事かと言うと、この位置の主菱形磁石８（１）のＮ磁極と、副菱形磁石９（３）のＮ磁極の反発力によって、主菱形磁石８（１）に逆回転力が作用するが、突出部分８ａに、それを打ち消す同じトルクの回転力が作用するからである。又、同じく、副菱形磁石９（３）のＳ磁極に逆回転力が作用するが、区分点側の突出部分９ａに、それを打ち消す同じトルクの回転力が作用する。【００３１】図２７の位置にある時、主菱形磁石８（１）の突出部分８ａにおける、反対磁極のＳ磁極と、副菱形磁石９（３）の表磁極における、区分点側の突出部分９ａのＳ磁極との反発力によって、主菱形磁石８（１）にＰ３の右回転力が作用し、副菱形磁石９（３）にＰ４の左回転力が作用する。これは、どちら側にも逆回転力は、作用しない。Ｐ１とＰ２の回転力によって、図２５まで回転し１回転のサイクルが完了する。こうして、主菱形磁石８（２）が次のサイクルをして、回転は、持続する事ができる。【００３２】図２８は、本発明の第２実施形態の図で、１対の笠歯車３の直径比と歯数比を２対１とし、その上に固定する主円盤１と副円盤２の直径比を２対１とした発明本体で、図２８は、図２９の主円盤１部分のＢ−Ｂ線方向断面と、副円盤２部分のＣ−Ｃ線方向断面を合成した、合成平面断面図であり、図２９は、図２８のＡ−Ａ線方向の断面立面図である。【００３３】副円盤２の区分数は、２区分で、主円盤１は、直径比数２に区分数の２を乗じた４区分とする。発電機１９軸と主軸１０は、軸継ぎ手２１で連結する。主円盤１の周囲に副円盤２が位置する。副円盤２は、主円盤１の周囲に最大４機付けることができる。１対の笠歯車３の直径比は、３対１、４対１、８対１といくらでも大きくする事が可能である。これは、副円盤２の区分数は、２区分とすると、主円盤１の区分数は、６区分８区分、１６区分となる。又、仮に、副円盤２の区分数を３とすると主円盤１の区分数は６区分となる。笠歯車３の直径比が、他の整数と１以外の奇数の、例えば、３対２の比でも回転可能で、この場合、各区分数は、直径比と同じ３区分と２区分とする。【００３４】図３０は、本発明の第３実施形態の図で、１対の笠歯車３の直径比と歯数比を、図２８と逆の１対２とし、主円盤１と副円盤２の直径比を１対２とした実施例で、図３０は、図２９の主円盤１部分のＢ−Ｂ線方向断面と、副円盤２部分のＣ−Ｃ線方向断面を合成した、合成平面断面図である。主円盤１と副円盤２の軸受けの取付位置は、図２８と逆位置で、副円盤２の周囲に主円盤１が位置する。主円盤１は、副円盤２の周囲に最大４機付けることができる。１対の笠歯車３の直径比は、１対４、１対８といくらでも大きくする事が可能である。【００３５】図３１は、請求項２に係わる、この発明の第４実施形態の図で、図３１は、図３２の主円盤１部分のＣ−Ｃ線方向の断面立面図である。又、図３２は、図３１の環状円周主円盤２５のＡ−Ａ線断面と、副円盤２部分のＣ−Ｃ線方向断面を合成した、合成平面断面図である。ａは主基礎傾斜台４の底面取付位置であり、ｂは副基礎傾斜台４の底面取付位置である。【００３６】図３１は、主、副円盤の笠歯車の直径比と歯数を６対１等とした時の実施例で、環状円周形笠歯車２４の上部についた、環状円周形主円盤２５を固定し、環状円周形笠歯車２４の内側周囲、１６等間隔の各位置のに、車輪面が傾斜角４５度とする、笠形車輪２６をつけた構造とし、装置容器１３側に、傾斜角４５度のレール面とする円周形状レール２７をに設けた構造とし、環状円周形主円盤車３０とする。又、円周形状レール２７面上に常温超電導体を設け、笠形車輪２６に換えて、強力磁石を環形主円盤２３内側周囲、８等間隔の各位置に付け、反発力によるスラスト軸受け構造とする事もできる。副円盤２は、主軸のついた笠歯車３とする。又、副円盤２の主軸１０にスラスト用笠形車輪２８を固定し、環状円周形笠歯車２４の外周下部に円錐面２９を設ける。スラスト用笠形車輪２８は、この円錐面２９に圧接回転し、環状円周形主円盤車３０の上側のスラスト軸受けとする。【００３７】副円盤回転車１７は、環状円周形笠歯車２４の周囲に、１６車設ける。発電機２１は、副円盤２の主軸１０に１６機設けることができる。環状円周形主円盤車３０の回転トルクは、環状円周形主円盤２５の半径が大きいので、強力で大電力が得られる。又、環状円周形主円盤２５と副円盤２を逆位置とする事ができる。この時、主円盤１は、笠歯車３に付き、環形副円盤回転車の周囲に１６車設ける事ができる。この装置容器１３の直径が６メートルとしても、高さを低くできて小型にできる効果がある。
【産業上の利用可能性】
【００３８】電気自動車、家庭用、ビル、街路灯、農業用温室ハウス用、ロボット、鉄道、航空機、船舶、宇宙船、等の様々な電源として用いることが出来る。電気自動車の電源は、２系統の蓄電器とすれば、片方の蓄電器で走行している間に、もう片方の蓄電器に充電し、交互に切り替えれば、主円盤１と副円盤２の円盤直径が、１５ｃｍ程度の小型装置とする事ができる。
【図面の簡単な説明】
【００３９】図１は、笠歯車直径比１対１で、副傾斜磁石５と主傾斜磁石４に超電導電磁石を用いた、この発明の第１実施形態図であり、図２の主円盤１部分のＢ−Ｂ線方向断面と、副円盤２部分のＣ−Ｃ線方向断面を合成した、平面断面図である図２は、図１のＡ−Ａ線方向の断面立面図
図３は、図２のＤ−Ｄ線方向の断面側面図
図４は、主円盤１の傾斜角θを９０度とした時の主基礎傾斜台と副基礎傾斜台の底面取付置を説明するための、図１と同じ位置の合成した断面平面図
図５は、主円盤１の傾斜角θを６０度とした時の主基礎傾斜台と副基礎傾斜台の底面取付置を説明するための、図１と同じ位置の合成した断面平面図
図６は、主基礎傾斜台４の斜視図
図７は、主基礎傾斜台４を３ブロックに分解した斜視図
図８は、主基礎傾斜台４の台面に主４５度傾斜台６を固定した斜視図【００４０】図９は、副基礎傾斜台の斜視図
図１０は、副基礎傾斜台を３ブロックに分解した斜視図
図１１は、副基礎傾斜台５の台面に副４５度傾斜台７を固定した斜視図
図１２は、主、副各円盤回転車の各笠歯車３の噛み合わせ位置の説明図で、笠歯車３を噛み合わせた時、主、副各円盤の概略部分平面図
図１３は、主４５度傾斜台６の台面に主菱形磁石８を固定した斜視図
図１４は、主４５度傾斜台６の斜視図
図１５は、主４５度傾斜台６を２ブロックに分解した斜視図【００４１】図１６は、副４５度傾斜台７の台面に副菱形磁石９を固定した斜視図
図１７は、副４５度傾斜台７の斜視図
図１８は、副４５度傾斜台７を２ブロックに分解した斜視図
図１９は、主菱形磁石８の立面図
図２０は、図１９の平面図
図２１は、図１９の側面図【００４２】図２２は、副菱形磁石９の立面図
図２３は、図２２の平面図
図２４は、図２２の側面図
図２５は、この発明の回転原理の説明で、図１と同じ位置における、合成平面断面図であり、共通中心線ｏ−ｏ線より、中心角で５０度手前に区分点が位置している。【００４３】図２６は、図２５の位置より、中心角で３０度回転した位置の合成平面断面図である。
図２７は、図２６の位置より、中心角で５０度回転した位置の、合成した断面平面図であ
図２８は、本発明の第２の実施形態図であり、図２９のＢ−Ｂ線方向の主円盤１部分とＣ−Ｃ線方向の副円盤２部分を合成した平面断面図
図２９は、図２８のＡ−Ａ線方向の断面立面図である。
図３０は、本発明の第３の実施形態図であり、図２８と同じ位置での合成した平面断面図
図３１は、この発明の請求項２に係わる、第５実施形態図であり、図３２のＣ−Ｃ線方向における断面立面図
図３２は、図３１のＡ−Ａ線方向の環状円周形主円盤２５部分とＢ−Ｂ線方向の副円盤２部分を合成した平面断面図
図３３は、副円盤２の副菱形磁石９の下端位置を説明図で、笠歯車３が噛み合った盤回転車１１、と副円盤回転車１２の部分斜視図
【符号の説明】
【００４４】１は主円盤、２は副円盤、３は笠歯車、４は主基礎傾斜台、５は副基礎傾斜台、６は主４５度傾斜台、７は副４５度傾斜台７、８は主菱形磁石、８ａは突出部分、９は副菱形磁石、９ａは突出部分、１０は主軸、１１は支持台、１２は冷凍機、１３は装置容器、１４はラジアル軸受け、１５はスラスト軸受け、１６は主円盤回転車、１７は副円盤回転車、１８は回転接点、１９は出力用笠歯車、２０は軸継ぎ手、２１は発電機、２２はフライホィール、２３はキー、２４は環状円周形笠歯車、２５は環状円周形主円盤、２６は笠形車輪、２７は円周形状レール、２８はスラスト用笠形車輪、２９は円錐面、３０は環状円周形主円盤車、ｔは区分中心線、ｏは共通中心線
【図１】
2008289341.tif 000003
【図２】
2008289341.tif 000004
【図３】
2008289341.tif 000005
【図４】
2008289341.tif 000006
【図５】
2008289341.tif 000007
【図６】
2008289341.tif 000008
【図７】
2008289341.tif 000009
【図８】
2008289341.tif 000010
【図９】
2008289341.tif 000011
【図１０】
2008289341.tif 000012
【図１１】
2008289341.tif 000013
【図１２】
2008289341.tif 000014
【図１３】
2008289341.tif 000015
【図１４】
2008289341.tif 000016
【図１５】
2008289341.tif 000017
【図１６】
2008289341.tif 000018
【図１７】
2008289341.tif 000019
【図１８】
2008289341.tif 000020
【図１９】
2008289341.tif 000021
【図２０】
2008289341.tif 000022
【図２１】
2008289341.tif 000023
【図２２】
2008289341.tif 000024
【図２３】
2008289341.tif 000025
【図２４】
2008289341.tif 000026
【図２５】
2008289341.tif 000027
【図２６】
2008289341.tif 000028
【図２７】
2008289341.tif 000029
【図２８】
2008289341.tif 000030
【図２９】
2008289341.tif 000031
【図３０】
2008289341.tif 000032
【図３１】
2008289341.tif 000033
【図３２】
2008289341.tif 000034
【図３３】
2008289341.tif 000035